(57)【要約】【課題】簡易、かつ、迅速に物干竿の屋内外方向の位置を変更することができる、物干竿の支持装置について提案する。【解決手段】物干竿４０を支えるための竿掛け３０と、前記竿掛け３０を移動可能に支えるための物干桟２０と、を備える物干竿の支持装置１０であって、前記竿掛け３０は、前記物干桟２０に対し複数の係止位置２９ａ〜２９ｄにて係止可能に構成され、前記竿掛け３０は、前記物干竿４０を介して付与される操作力によって、前記物干桟２０に対する係止状態が解除される構成とする。【選択図】図２
2010069075.tif 000002
【特許請求の範囲】
【請求項１】
物干竿を支えるための竿掛けと、
前記竿掛けを移動可能に支えるための物干桟と、
を備える物干竿の支持装置であって、
前記竿掛けは、前記物干桟に対し複数の係止位置にて係止可能に構成され、
前記竿掛けは、前記物干竿を介して付与される操作力によって、前記物干桟に対する係止状態が解除される構成とする、物干竿の支持装置。
【請求項２】
移動する前記竿掛けの被係止部が、前記複数の係止位置にそれぞれ設けられる係止部に到達した際に、前記被係止部が前記係止部に対して係止固定される、
ことを特徴とする、請求項１に記載の物干竿の支持装置。
【請求項３】
前記物干桟は、略水平に設置されており、物干竿は、略水平に移動可能に構成される、
ことを特徴とする、請求項１又は請求項２に記載の物干竿の支持装置。
【請求項４】
請求項１乃至請求項３のいずれか一項に記載の物干竿の支持装置を備える屋根。
【発明の詳細な説明】
【技術分野】
【０００１】
本発明は、洗濯物などを干すために用いられる物干竿を支持するための装置に関するものであり、特に、テラス、カーポート、バルコニー、サンルームなどの屋根の下方に物干竿を吊設するための支持装置に関する。
【背景技術】
【０００２】
従来、テラス、カーポート、バルコニー、サンルームなどの屋根の下方に、屋内外方向に移動可能な物干竿受け材を吊り下げる構成の物干し装置が知られている（例えば、特許文献１参照。）。
【０００３】
このような物干し装置の構成によれば、物干竿を屋内外方向の異なる位置に配置することが可能となる。これにより、例えば、日照時では屋外側へ物干竿を移動させて洗濯物の乾燥を促進させることや、雨天時では屋内側へ物干竿を移動させて雨水の洗濯物への降りかかりを防止することが可能となる。このように、従来の構成では、利用者が状況に応じて物干竿の位置を設定できるようになっている。
【０００４】
そして、特許文献１に開示される構成では、摺動レールに沿って移動するキャスターが設けられ、該キャスターにて物干し竿受け材を吊設支持することにより、物干し竿受け材が屋内外方向に移動可能となっている。また、物干し竿受け材は、屋根の幅方向における二箇所に配置され、両物干し竿受け材によって物干竿の両端部が下側から保持される構成としている。
【０００５】
また、特許文献１の構成においては、摺動レールにキャスターを停止させるためのキャスター停止用切り込みが設けられ、この切り込みに落とし込まれた際に、キャスターの移動が規制され、物干竿を規定の位置にセットできるようになっている。
【特許文献１】特開昭５２−１４０９２７号公報
【発明の開示】
【発明が解決しようとする課題】
【０００６】
しかし、特許文献１に開示される構成の場合では、物干し竿受け材が互いに離れた位置に配置されるため、物干竿を架けた状態のまま離れた位置にある二つの物干し竿受け材を移動させるためには、（１）右側の物干し竿受け材を斜め上方に持ち上げてキャスターの移動規制を解除、（２）左側の物干し竿受け材の場所まで作業者が移動、（３）左側の物干し竿受け材を斜め上方に持ち上げてキャスターの移動規制を解除、（４）物干竿の中間位置まで作業者が移動、（５）物干竿を掴んで両方の物干し竿受け材を移動させる、といった手順が必要となる。
【０００７】
つまり、一人作業による場合では、離れた位置にある二つの物干し竿受け材の移動規制を同時に解除できないことから、上記（１）〜（５）の手順が必要となるのである。仮に、二つの物干し竿受け材について同時に移動規制を解除するためには、二人以上による作業が必要となるのである。また、一人作業の場合では、上記（１）〜（５）の手順によって作業時間がかかることになるため、突然の大雨が発生した際など、急いで物干竿を屋内側へ移動したい場合には、迅速な対応が困難となってしまう。特に、物干竿に洗濯物を掛けた状態のままで物干竿を移動させたい場合には、一人作業では困難を極めることになる。
【０００８】
また、特許文献１に開示される構成の場合では、二箇所の離れた位置に物干し竿受け材が配置されるため、まず、右側の物干し竿受け材を斜め上方に持ち上げて移動規制を解除した際には、その右側の物干し竿受け材の屋内外方向の位置は、左側の物干し竿受け材の位置とは異なることになる。つまり、この状態では、物干竿の右端部が、その左端部に対し屋内外方向にずれた位置に配置され、物干竿が規定の設置状態から斜めに傾いた状態となる。
【０００９】
そして、この状態で左側の物干し竿受け材の移動規制を解除する作業が必要となるが、この場合、物干竿は、既に規制が解除されている右側の物干し竿受け材を支点として回動することになる。この際に、物干竿の回動につられて右側の物干し竿受け材も移動してしまい、再び、キャスターが切り込みに落とし込まれて移動規制がなされてしまうことが懸念される。こうなってしまうと、再び右側の物干し竿受け材についての規制解除を行う必要が生じ、一から作業をやり直すはめになる。
【００１０】
そこで、本発明は以上の問題に鑑み、より簡易、かつ、迅速に物干竿の屋内外方向の位置を変更することができる、物干竿の支持装置について提案するものである。
【課題を解決するための手段】
【００１１】
本発明の解決しようとする課題は以上の如くであり、次にこの課題を解決するための手段を説明する。
【００１２】
即ち、請求項１に記載のごとく、
物干竿を支えるための竿掛けと、
前記竿掛けを移動可能に支えるための物干桟と、
を備える物干竿の支持装置であって、
前記竿掛けは、前記物干桟に対し複数の係止位置にて係止可能に構成され、
前記竿掛けは、前記物干竿を介して付与される操作力によって、前記物干桟に対する係止状態が解除される構成とするものである。
【００１３】
また、請求項２に記載のごとく、
移動する前記竿掛けの被係止部が、前記複数の係止位置にそれぞれ設けられる係止部に到達した際に、前記被係止部が前記係止部に対して係止固定されることとするものである。
【００１４】
また、請求項３に記載のごとく、
前記物干桟は、略水平に設置されており、物干竿は、略水平に移動可能に構成されることとするものである。
【００１５】
また、請求項４に記載のごとく、
請求項１乃至請求項３のいずれか一項に記載の物干竿の支持装置を備える屋根とするものである。
【発明の効果】
【００１６】
本発明の効果として、以下に示すような効果を奏する。
【００１７】
即ち、請求項１に記載の発明においては、
物干竿の移動作業は、物干竿を掴むなどして、物干竿に操作力を加えるだけで行うことができ、一人作業であっても容易に、且つ、迅速に行うことができる。
【００１８】
また、請求項２に記載の発明においては、
特別な操作を必要とすることなく、物干竿（竿掛け）を物干桟に係止固定することができ、物干竿の移動の作業を迅速に完了できる。
【００１９】
また、請求項３に記載の発明においては、
物干竿の移動方向における全ての場所において、同一の作業感覚にて、物干竿の移動作業を行うことができる。
【００２０】
また、請求項４に記載の発明においては、
請求項１乃至請求項３に記載の物干竿の支持装置を備えることとすることにより、屋根の下において、日照時や雨天時などの状況に応じて、物干竿の移動作業を容易に、且つ、迅速に行うことができる。
【発明を実施するための最良の形態】
【００２１】
次に、発明の実施の形態を説明する。
図１は、本願発明の一実施形態にかかる物干竿の支持装置１０を備える屋根１について示すものである。この屋根１は、テラス４の上方に配置されており、屋内側から屋内側にかけて、その屋根面が一枚の屋根板２によって構成されている。なお、本明細書において、屋内側とは、屋根１が付設される建物１００に近い側をいい、屋外側とは、屋根１が付設される建物１００から遠い側をいうものとする。
【００２２】
また、図１に示すごとく、屋根１の下方となる位置に、本発明の実施形態にかかる物干竿の支持装置１０が配置される。この物干竿の支持装置１０に物干竿４０が支持され、物干竿４０に対し、洗濯物１７がかけられるようになっている。
【００２３】
次に、図２は、物干竿の支持装置１０の全体構成を示すものである。
屋根１の側桁８において、屋内外方向の二箇所に吊金具１１・１２が上下方向に吊設される。この吊金具１１・１２は、筒状の部材であって、取付金具１３・１４を介して側桁８に固定される。また、側桁８には、吊金具１１・１２の周囲を囲むサポート金具１５・１６が固定されており、このサポート金具１５・１６によって吊金具１１・１２の揺れを規制するようにしている。
【００２４】
また、図２に示すごとく、吊金具１１・１２には、それぞれ、物干桟２０の屋内外方向に二箇所においてそれぞれ上方に延設されるスライド棒２１・２２が挿入固定され、これにより、物干桟２０が吊金具１１・１２を介して側桁８に吊設される。なお、このように側桁８に対して物干桟２０を吊設するほか、図示せぬ垂木に対して物干桟２０を吊設することとしてもよい。
【００２５】
また、図２に示すごとく、物干桟２０は、屋内外方向に長い長尺の部材にて構成され、その屋外側端部と屋内側端部の高さが同一となるように、略水平に配置されている。また、物干桟２０には、それぞれに物干竿４０を掛けるための竿掛け３０・３０が設けられている。この竿掛け３０・３０は、物干桟２０にガイドされながら屋内外方向に移動可能に構成されるとともに、物干桟２０に対し、屋内外方向の規定の係止位置２９ａ〜２９ｄにて係止固定されるように構成されている。
【００２６】
次に、図３（ａ）は、物干桟２０の断面形状について示すものである。
物干桟２０は、対向して配置される二つの側壁部２３・２４を有し、その上部同士が上板部２５で連結され、下部同士が下板部２６で連結されて構成されている。また、側壁部２３・２４の下部は、下板部２６よりも下方に延出され、その端部が互いに近づけられるようにして、略水平の板面部を構成するガイド突条部２３ａ・２４ａが形成されている。また、ガイド突条部２３ａ・２４ａの間には、間隔２７が確保されており、これにより、側壁部２３・２４の間において、間隔２７を通して下方に開放されるガイド溝２８が形成されるようになっている。
【００２７】
また、図３（ａ）に示すごとく、ガイド突条部２３ａ・２４ａにおいては、物干桟２０の屋内外方向の複数箇所において、その板面部が上下方向に切り欠かれて、係止部２３ｂ・２４ｂが形成されている。この係止部２３ｂ・２４ｂは対向配置されて一対に構成されており、図２の例では、係止位置２９ａ〜２９ｄにおいて、それぞれ一対の係止部２３ｂ・２４ｂが形成されることとしている。
【００２８】
そして、図３（ｂ）に示すごとく、ガイド溝２８に対し、竿掛け３０の被ガイド部３１が摺動自在に挿入されるようになっている。この竿掛け３０は、図４に示すごとく、上部に構成される棒状の被ガイド部３１と、該被ガイド部３１の長手方向の両端部に対し、それぞれＵ字の端部が接続されるように構成される略Ｕ字状の掛け部３２を有することとしている。そして、この掛け部３２に対し、物干竿４０が挿通されるとともに、掛け部３２によって物干竿４０が下側から支持されるようになっている。また、以上の構成で、竿掛け３０は、物干竿４０の周囲を被ガイド部３１と掛け部３２にて囲むように構成されており、これにより、図５を参照して後述するように、物干竿４０による竿掛け３０の上方への押し上げ、及び、屋内外方向への移動を可能としている。
【００２９】
また、図４に示すごとく、被ガイド部３１においては、長手方向に連続的に形成される上側突条部３３・３３と、上側突条部３３・３３の下方において上側突条部３３・３３と平行に設けられる下側突条部３４・３４が形成されている。これら上側突条部３３・３３、下側突条部３４・３４は、被ガイド部３１の軸断面視において両側方に向かって突出されるようになっており、これにより、各突条部３３・３４の間に被ガイド溝３５・３５が形成されるようになっている。また、上側突条部３３・３３には、その長手方向中途部において、凸状の被係止部３６が下方向に突設されている。
【００３０】
そして、以上の構成において、図３（ｂ）に示すごとく、竿掛け３０の被ガイド溝３５・３５に、物干桟２０のガイド突条部２３ａ・２４ａを挿通させることで、竿掛け３０が物干桟２０に対して吊設される。なお、竿掛け３０の素材については、金属や樹脂などで構成することができ、例えば、鋳造にて製造されるものであってもよく、いずれの素材、製造方法を用いる場合においても、十分な強度を確保することが破損防止の観点から重要となる。
【００３１】
また、図３（ｂ）では、被係止部３６・３６が、ガイド突条部２３ａ・２４ａに載置された状態となっており、この状態では、図５の左側の状態に示すごとく、被係止部３６をガイド突条部２３ａ・２４ａの上面で滑らせるようにして、竿掛け３０を物干桟２０に対して移動させることができるようになっている。ここで、被係止部３６とガイド突条部２３ａ・２４ａの接触面積は、仮に上側突条部３３をガイド突条部２３ａ・２４ａと接触させた場合における接触面積と比較して小さく構成されるため、被係止部３６とガイド突条部２３ａ・２４ａの間の摩擦抵抗は小さくなり、竿掛け３０の物干桟２０に対する移動は容易に行えることとなる。
【００３２】
一方、図３（ｃ）の状況では、図５の右側の状態に示すごとく、被係止部３６が、係止部２３ｂ・２４ｂに落とし込まれ、竿掛け３０の物干桟２０に対する移動が規制されることになる。そして、これにより、竿掛け３０を係止部２３ｂ・２４ｂの箇所（位置２９ｃ）において、係止固定することができることになる。なお、図３（ｃ）においては、上側突条部３３・３３がガイド突条部２３ａ・２４ａによって下側から支えられることで、竿掛け３０が落下することはない。
【００３３】
さらに、図５に示すごとく、位置２９ｃにおいて一度係止固定された竿掛け３０を移動させたい場合には、作業者は、次のようにして、物干竿４０に対して操作力を付与する。即ち、物干竿４０を上方に持ち上げて、物干竿４０の上面で被ガイド部３１を押し上げ、被係止部３６を係止部２３ｂ・２４ｂから抜き出すことで係止固定を解除する。そして、そのまま物干竿４０を掛け部３２に押し当て屋内外方向に移動させることで、被係止部３６をガイド突条部２３ａ・２４ａに乗り上げさせて、竿掛け３０を移動できる状態とする。
【００３４】
以上のようにして、物干竿４０を持ち上げて係止固定を解除するとともに、そのまま、物干竿４０に手を添えることで、物干竿４０を屋内外方向に移動させることができる。換言すれば、物干竿４０を移動させるための操作力が、物干竿４０を介して竿掛け３０に付与され、これにより、竿掛け３０の物干桟２０に対する係止固定が解除されるとともに、竿掛け３０が移動されるようになっているのである。
【００３５】
さらに、図５に示すごとく、位置２９ｃから物干竿４０（竿掛け３０）を移動させる際において、竿掛け３０が別の位置２９ｂにある係止部２３ｂ・２４ｂに到達した際には、被係止部３６が係止部２３ｂ・２４ｂに落とし込まれることになるため、特別な操作を必要とすることなく、位置２９ｂにおいて、物干竿４０（竿掛け３０）を係止固定させることができる。このように、特別な操作を必要とすることなく、物干竿４０（竿掛け３０）を物干桟２０に係止固定することができるため、物干竿４０の移動の作業を迅速に完了できることになる。
【００３６】
以上に説明した物干竿の移動作業、係止固定作業は、物干竿を掴むなどして、物干竿に操作力を加えるだけで行うことができ、一人作業であっても容易に、且つ、迅速に行うことができるのである。仮に、図６（ａ）に示すごとく、本実施形態とは異なる竿掛け１３０・１３０に直接手を添えて物干竿４０の移動を可能とするためには、各竿掛け１３０・１３０を持ち上げるために二回の操作が必要になり、それに伴って作業者は移動する必要が生じるが、本実施形態の場合では、図６（ｂ）に示すごとく、竿掛け３０・３０の位置まで体を移動させることなく、物干竿４０を押し上げるだけで、物干竿４０とともに竿掛け３０・３０を移動させることができるのである。
【００３７】
また、図７の例に示すごとく、窓５１から手を伸ばして物干竿４０を掴んで力を加えるだけで、テラス４に出ずに、物干竿４０を移動させることができる。即ち、室内５２に居ながら物干竿４０を移動させることもできるのである。
【００３８】
以上が本実施形態の構成である。
即ち、図２に示すごとく、物干竿４０を支えるための竿掛け３０と、前記竿掛け３０を移動可能に支えるための物干桟２０と、を備える物干竿の支持装置１０であって、前記竿掛け３０は、前記物干桟２０に対し複数の係止位置２９ａ〜２９ｄにて係止可能に構成され、前記竿掛け３０は、前記物干竿４０を介して付与される操作力によって、前記物干桟２０に対する係止状態が解除される、構成とするものである。
【００３９】
これにより、物干竿の移動作業は、物干竿を掴むなどして、物干竿に操作力を加えるだけで行うことができ、一人作業であっても容易に、且つ、迅速に行うことができる。
【００４０】
また、図５に示すごとく、移動する前記竿掛け３０の被係止部３６が、前記複数の係止位置２９ａ〜２９ｄにそれぞれ設けられる係止部２３ｂ・２４ｂに到達した際に、前記被係止部３６が前記係止部２３ｂ・２４ｂに対して係止固定される、構成とするものである。
【００４１】
これにより、特別な操作を必要とすることなく、物干竿４０（竿掛け３０）を物干桟２０に係止固定することができ、物干竿４０の移動の作業を迅速に完了できる。
【００４２】
また、図２、及び、図７に示すごとく、前記物干桟２０は、略水平に設置されており、物干竿４０は、略水平に移動可能に構成されることとするものである。
【００４３】
これにより、図２に示すごとく、物干竿４０の移動方向における全ての箇所において、同一の作業感覚にて、物干竿４０の移動作業を行うことができる。仮に、図２の例において、側桁８と同様に物干竿４０を傾斜して配置して、物干竿４０の屋外側が低く屋内側が高くなるように構成されると、屋内側において物干竿４０を操作する際には、背伸びをして物干竿４０を掴む必要が生じる一方、屋外側においては背伸びの必要性がなくなるなど、屋内外方向の各箇所において、操作感覚が異なることになり、不便を感じることになる。この点、上記実施形態によれば、このような不具合が発生しないのである。
【００４４】
なお、以上の実施形態では、図２に示すように、傾斜配置される側桁８（若しくは、図示せぬ垂木）に対して、物干桟２０が水平に吊設される構成とするものであるが、側桁８（若しくは、図示せぬ垂木）が水平に配置される屋根においては、この側桁８（若しくは、図示せぬ垂木）に物干桟２０の機能を持たせる、つまりは、側桁８（若しくは、図示せぬ垂木）を物干桟として、側桁８（若しくは、図示せぬ垂木）にて竿掛け３０を移動可能に支える構成としてもよい。
【００４５】
また、図８（ａ）〜（ｃ）、及び図９（ａ）〜（ｃ）は、竿掛けと物干桟との係止方法（固定方法）の他の例であり、上述の実施形態に代えて適用することができる。
以下順に説明すると、図８（ａ）の構成では、物干桟６０の屋内外方向の複数箇所における内壁面に、可撓性のある突起部６１（係止部）を設ける一方、竿掛け７０には、前記突起部６１と係止するための係止凹部７１（被係止部）を設ける構成とするものである。この構成では、突起部６１が係止凹部７１に嵌入した際に、係止がなされる一方、竿掛け７０に屋内外方向の力が加わった際には、突起部６１が撓んで、係止凹部７１から抜け出すことで両者の係止が解除され、竿掛け７０の移動が許容されることになる。なお、この構成の場合では、係止解除をするにあたり竿掛け７０を上方に移動させる必要がないため、図示せぬ物干桟を屋内外方向に動かす力を加えるだけで、係止状態を解除できる。
【００４６】
また、図８（ｂ）は、物干桟６２の屋内外方向の複数箇所に、可撓性のある突起部６３（係止部）を下方に向けて設け、竿掛け７２の上面に係止凹部７３（被係止部）を設ける例である。図８（ｃ）は、物干桟６４の屋内外方向の複数箇所に係止凹部６５（係止部）を設け、竿掛け７４上面に可撓性のある突起部７５（被係止部）を設ける例である。このように、図８（ｂ）（ｃ）の構成においても、図８（ａ）と同様の作用・効果を奏させることが可能である。なお、図８（ｂ）（ｃ）の関係と同様に、図８（ａ）の構成において、突起部を竿掛け側に、係止凹部を物干桟側に設けることとしてもよい。また、突起部６１・６３・７５については、それぞれ、球状先端をスプリングにて突出させるとともに、荷重が作用した際に球状先端を引き込ませる構成のラッチ構造を採用してもよい。
【００４７】
また、図９（ａ）は、物干桟６６において屋内外方向の複数箇所に磁石６７（係止部）を設置し、竿掛け７６に前記磁石６７に吸着される金属片７７（磁石であってもよい）（被係止部）を設置する構成とするものである。なお、この逆の組合せ、つまり、竿掛け７６側に磁石、物干桟６６側に金属片を設置する構成としてもよい。これらの構成によっても、図８（ａ）と同様の作用・効果を奏させることが可能である。
【００４８】
また、図９（ｂ）は、物干桟６８において屋内外方向の複数箇所に波状の板バネ６９（係止部）を設置し、竿掛け７８に前記板バネ６９の凹部に係止される突起部７９（被係止部）を設置する構成とするものである。図９（ｃ）は、この逆の組合せであり、竿掛け７８ａに板バネ７８ｂ（被係止部）を設置し、物干桟６８ａに突起部６８ｂ（係止部）を設ける構成とするものである。これらの構成によっても、図８（ａ）と同様の作用・効果を奏させることが可能である。
【産業上の利用可能性】
【００４９】
本発明は、テラス、カーポート、バルコニー、サンルームなどの屋根の下方に物干竿を吊設するための支持装置として、広く適用可能である。
【図面の簡単な説明】
【００５０】
【図１】本発明の一実施例に係る物干竿の支持装置を取り付けた屋根の概要について示す図。
【図２】本発明の一実施例に係る物干竿の支持装置の側面図。
【図３】（ａ）は物干桟の断面形状について示す断面図。（ｂ）は竿掛けを物干桟に対して摺動させる場合の状態について示す図。（ｃ）は係止部に竿掛けが継合した状態について示す図。
【図４】竿掛けの構造について示す斜視図。
【図５】竿掛けの係止、移動について説明する図。
【図６】（ａ）は二つの竿掛けを個別に操作する場合について説明する図。（ｂ）は物干竿に手を添えて二つの竿掛けを同時に操作する場合について示す図。
【図７】室内に居たまま物干竿を移動させることについて説明する図。
【図８】（ａ）は竿掛けの係止形態の第一の他例について示す図。（ｂ）は竿掛けの係止形態の第二の他例について示す図。（ｃ）は竿掛けの係止形態の第三の他例について示す図。
【図９】（ａ）は竿掛けの係止形態の第四の他例について示す図。（ｂ）は竿掛けの係止形態の第五の他例について示す図。（ｃ）は竿掛けの係止形態の第六の他例について示す図。
【符号の説明】
【００５１】
１    屋根
２    屋内側パネル
３    屋外側パネル
４    テラス
１０    支持装置
２０    物干桟
２９ｂ    係止位置
２９ｃ    係止位置
３０    竿掛け
４０    物干竿
【図１】
2010069075.tif 000003
【図２】
2010069075.tif 000004
【図３】
2010069075.tif 000005
【図４】
2010069075.tif 000006
【図５】
2010069075.tif 000007
【図６】
2010069075.tif 000008
【図７】
2010069075.tif 000009
【図８】
2010069075.tif 000010
【図９】
2010069075.tif 000011